(57)【要約】ロックモードで動作している無線通信装置が着信コールを受信できるようにするための装置と方法（２００）が提供されている。この無線通信装置は、ユーザー情報を含むユーザー取り外し可能モジュール（１１８）を備えている。ロックモードにある無線通信装置（１００）が、初めにコールを緊急サービスセンターに送信すると（２１２）、その無線通信装置（１００）はユーザー取り外し可能モジュールに含まれているユーザー情報のいくつかにそれがアクセスするのを許可する指示を受信する。アクセスしたユーザー情報を使って、無線通信装置（１００）は、ローカルネットワーク（４０２）に登録され、所定時間の間、着信コールを受信できるようになる。
2006520122.tif 000002
【特許請求の範囲】
【請求項１】
ロックモードで動作するように構成されると共に、ユーザー情報を含むユーザー取り外し可能モジュールを使用するように構成された無線通信装置であって、
電話番号を受信するように構成されたユーザーインターフェースと、
所定の電話番号を記憶するように構成されたメモリ回路と、
前記ユーザーインターフェースと前記メモリとに接続されたプロセッサであって、前記ユーザーインターフェースが受信した電話番号が前記メモリに記憶されている所定電話番号と一致した場合には、当該無線通信装置がロックモードで動作しているにもかかわらず、コールを開始するように構成されたプロセッサと、
前記プロセッサに接続された送信機であって、前記プロセッサによる前記コールの開始時に前記コールを送信するように構成された送信機と、
前記プロセッサに接続された受信機であって、前記コールの送信後に、着信コールを受信するように構成された受信機とを備え、
前記プロセッサは、前記コールの送信後、所定時間の間、前記ユーザー取り外し可能モジュールに含まれているユーザー情報の少なくとも一つのサブセットにアクセスするように構成されていることを特徴とする無線通信装置。
【請求項２】
請求項１に記載の無線通信装置であって、前記プロセッサは、前記コールの送信後、前記所定時間の間、着信コールを処理するように構成されていることを特徴とする無線通信装置。
【請求項３】
請求項１に記載の無線通信装置であって、前記プロセッサは、前記コールの送信後に前記コールのチャンネル割り当てを監視するように構成されていることを特徴とする無線通信装置。
【請求項４】
請求項３に記載の無線通信装置であって、前記プロセッサは、前記コールに対するチャンネル割り当てが行われた後に、前記ユーザー取り外し可能モジュールに含まれているユーザー情報の少なくとも一つのサブセットにアクセスすることを特徴とする無線通信装置。
【請求項５】
請求項１に記載の無線通信装置であって、前記プロセッサは、該プロセッサが前記ユーザー取り外し可能モジュールに含まれているユーザー情報の少なくとも一つのサブセットにアクセスした後に、当該無線通信装置をローカルネットワークに登録するように構成されていることを特徴とする無線通信装置。
【請求項６】
請求項１に記載の無線通信装置であって、
前記プロセッサに接続され、前記所定時間の開始時刻を発生すると共に、前記プロセッサへタイミング情報を供給するように構成されたタイミング回路を更に備え、
前記メモリ回路は前記開始時刻を保存するように構成され、前記プロセッサは、前記メモリ回路内の前記開始時刻と前記タイミング回路から受信したタイミング情報との比較に基づいて、前記所定時間が終了したかを判定するように構成されていることを特徴とする無線通信装置。
【請求項７】
請求項６に記載の無線通信装置であって、前記プロセッサは、前記所定時間が終了したと判定したときに当該無線通信装置をロックモードにするように構成されていることを特徴とする無線通信装置。
【請求項８】
請求項７に記載の無線通信装置であって、前記タイミング回路は、外部時間の参照に基づくタイミング情報を供給するように構成されていることを特徴とする無線通信装置。
【請求項９】
ロックモードで動作している無線通信装置において、該無線通信装置が着信コールを受信できるようにするための方法であって、該無線通信装置が、ユーザー情報を含むユーザー取り外し可能モジュールを有する方法において、
緊急コールを緊急サービスセンターに送信するステップと、
前記緊急コールの送信に応じて、前記ユーザー取り外し可能モジュールに含まれているユーザー情報の少なくとも一つのサブセットへのアクセスを許可する指示を受信するステップと、
前記ユーザー情報の少なくとも一つのサブセットにアクセスするステップと、
前記ユーザー情報の少なくとも一つのサブセットに基づいて適切な情報を送信するステップと、
所定時間の間、着信コールに応答するステップと、
を備えることを特徴とする方法。
【請求項１０】
請求項９に記載の方法であって、前記緊急コールを緊急サービスセンターに送信するステップは、受信した電話番号が、予め記憶された前記緊急サービスセンターの電話番号と一致すると判定したときに、前記緊急コールを送信することによって行われることを特徴とする方法。
【請求項１１】
請求項１０に記載の方法であって、前記ユーザー情報の少なくとも一つのサブセットへのアクセスを許可する指示を受信するステップは、該指示を、前記緊急コールに対するチャンネル割り当てメッセージと、前記緊急コールに対するサービス接続メッセージと、前記緊急コールに対する肯定応答の少なくとも一つを受信した後に受信することによって行われることを特徴とする方法。
【請求項１２】
請求項９に記載の方法であって、前記ユーザー情報の少なくとも一つのサブセットに基づく適切な情報を送信した後に当該無線通信装置をローカル無線ネットワークに登録するステップを更に備えることを特徴とする方法。
【請求項１３】
請求項９に記載の方法であって、所定時間の間、着信コールに応答するステップは、
前記所定時間の開始を示す開始時刻スタンプをメモリに保存することと、
前記開始時刻スタンプからの経過時間を追跡することと、
前記経過時間が前記所定時間よりも少ない間は前記着信コールに応答することとによって行われることを特徴とする方法。
【請求項１４】
請求項１３に記載の方法であって、前記所定時間の開始を示す開始時刻スタンプをメモリに保存するステップは、前記緊急コールに対するチャンネル割り当てと前記緊急コールの終了の少なくとも一方を、内部メモリと前記ユーザー取り外し可能モジュールの少なくとも一方に、前記所定時間の開始として保存することによって行われることを特徴とする方法。
【請求項１５】
請求項１３に記載の方法であって、前記開始時刻スタンプからの経過時間を追跡するステップは、内部時計と外部時間の参照の少なくとも一方によって監視される経過時間を追跡することによって行われることを特徴とする方法。
【請求項１６】
請求項１３に記載の方法であって、前記開始時刻をリセットするステップを更に備え、該ステップは、緊急コールが当該無線通信装置から送信されるたびに前記開始時刻スタンプをリセットすることと、所定時間の間、コールが受信されるたびに前記開始時刻スタンプをリセットすることとの少なくとも一方によって行われることを特徴とする方法。
【請求項１７】
ロックモードで動作すると共に、ユーザー情報を含むユーザー取り外し可能モジュールを備えた無線通信装置において、該無線通信装置に、所定時間の間、ユーザー情報の少なくとも一つのサブセットへのアクセスを許可するための方法であって、
緊急コールを緊急サービスセンターに送信するステップと、
前記緊急コールに対するチャンネル割り当てを受信した後に、前記緊急コールの送信に応じて、前記ユーザー取り外し可能に含まれているユーザー情報の少なくとも一つのサブセットへのアクセスを許可する指示を受信するステップと、
前記所定時間の開始を示す開始時刻スタンプを保存するステップと、
前記開始時刻スタンプからの経過時間を追跡するステップと、
前記経過時間が前記所定時間よりも少ない間は前記ユーザー取り外し可能モジュールに含まれているユーザー情報の少なくとも一つのサブセットへのアクセスを許可するステップとを備えることを特徴とする方法。
【請求項１８】
請求項１７に記載の方法であって、前記所定時間の開始を示す開始時刻スタンプをメモリに保存するステップは、前記緊急コールに対するチャンネル割り当てと前記緊急コールの終了の少なくとも一方を、内部メモリと前記ユーザー取り外し可能モジュールの少なくとも一方に、前記所定時間の開始として保存することによって行われることを特徴とする方法。
【請求項１９】
請求項１７に記載の方法であって、前記開始時刻スタンプからの経過時間を追跡するステップは、内部時計と外部時間の参照の少なくとも一方によって監視される経過時間を追跡することによって行われることを特徴とする方法。
【請求項２０】
請求項１７に記載の方法であって、前記開始時刻をリセットするステップを更に備え、該ステップは、緊急コールが当該無線通信装置から送信されるたびに前記開始時刻スタンプをリセットすることと、所定時間の間、コールが受信されるたびに前記開始時刻スタンプをリセットすることとの少なくとも一方によって行われることを特徴とする方法。
【発明の詳細な説明】
【技術分野】
【０００１】
本発明は一般に緊急コールを受信するための装置と方法に関し、より詳しくは、ロックモードにおいて緊急コールを受信するように構成された取り外し可能ユーザー情報モジュールを有する無線通信装置のための装置と方法に関する。
【背景技術】
【０００２】
携帯電話などの無線電話は一般的に、国際移動体加入者識別子（ＩＭＳＩ）と移動体識別番号（ＭＩＮ）を無線ネットワークに最初に登録することによって、その無線ネットワークにおいて動作する。いったん登録されると、携帯電話は、その無線ネットワークにおいて、コールを開始し、受信できるようになる。動作の通常モードにおいては、携帯電話は、着信するコールを、ＩＭＳＩアドレスに対する呼出（ｐａｇｅ）を監視し、その呼出のＩＭＳＩが携帯電話のＩＭＳＩと一致する場合にその着信コールを認めることによって、受信する。携帯電話が登録されていない場合には、ネットワークはその携帯電話によって開始されたコールを拒絶することができ、その携帯電話は自分宛のコールを受信することを許可されない。
【発明の開示】
【発明が解決しようとする課題】
【０００３】
携帯電話はさまざまな方法で不登録となることがあり得る。例えば、携帯電話はもはやどの無線ネットワークにも有効加入していないことがある。また、携帯電話は、ユーザーが個人識別番号（ＰＩＮ）などのパスワードを適切に入力するのに失敗したロックモードにあることもあるし、現在の訪問ネットワークは加入者のホームネットワークとのローミング協定を有さないこともある。あるいは、携帯電話はモバイル通信用グローバルシステム（ＧＳＭ）型携帯電話のための加入者識別モジュール（ＳＩＭ）カードまたは符号分割多重アクセス（ＣＤＭＡ）型携帯電話のための取り外し可能ユーザー識別モジュール（Ｒ−ＵＩＭ）などの必要なユーザーモジュールが欠けていることもある。ＳＩＭまたはＲ−ＵＩＭを備えた携帯電話に対して、その携帯電話が不登録となり、ロックモードになると、ＳＩＭまたはＲ−ＵＩＭの中に含まれている情報はアクセス不可能となる。しかしながら、登録されていない携帯電話またはロックモードにある携帯電話は、それでもなお、限られた能力で動作して、緊急サービスセンターへの緊急コールを開始することができる。緊急サービスセンターへの緊急コールは、緊急使用専用の予め記憶された電話番号、例えば、米国では「９１１」、ヨーロッパでは「１１２」、によって見分けることができる。しかしながら、動作のロックモードにある携帯電話は、緊急サービスセンターからのコールバックを含むいずれの着信コールも受信することを許可されない。
【課題を解決するための手段】
【０００４】
本発明は、ユーザー情報を含んでいるユーザー取り外し可能モジュールを有する無線通信装置のための装置と方法であって、その無線通信装置がロックモードで動作しているにもかかわらず警察および消防署などの緊急サービスセンターへの緊急コールを開始するのに応じて着信コールを受信する装置および方法を提供する。
【０００５】
携帯電話などの無線通信装置は、単にその無線通信装置が現在置かれている無線ネットワークとの有効サービス契約を有していないことによってロックモードに入ることがあり得る。無線通信装置はまた、必要ユーザーモジュールに含まれた情報にアクセスするために無線通信装置をアンロックするためのユーザーからの適正なパスワードを受け取り損なうことによってロックモードに入ることもあり得る。モバイル通信用グローバルシステム
（ＧＳＭ）型携帯電話のための加入者識別モジュール（ＳＩＭ）カードおよび符号分割多重アクセス（ＣＤＭＡ）型携帯電話のための取り外し可能ユーザー識別モジュール（Ｒ−ＵＩＭ）は、そのような必要なユーザーモジュールの例である。無線通信装置はロックモードで動作しているとき、通常のコールを生成したり受信したりできないが、緊急サービスセンターへの緊急コールの開始は許可される。本発明は、無線通信装置が、緊急センターへの緊急コールの開始後、所定時間の間、着信コールを受信することを可能にする。
【発明を実施するための最良の形態】
【０００６】
図１は、本発明の好ましい実施態様による緊急コールバック受信機能を有する無線通信装置１００の典型的なブロック図である。無線通信装置１００は、無線通信装置１００を動作させるのに必要なユーザー情報を含んでいるユーザー取り外し可能モジュールを有する、携帯電話または双方向無線機などの無線電話、ページング装置（呼び出し装置）、パーソナルディジタルアシスタント（ＰＤＡ）、手持ち型コンピュータ、テレビやＭＰ３プレーヤなどのオーディオ／ビデオ装置、ネットワーク閲覧装置、ペン用タブレット、指またはペン用タッチパッド、指用タッチキーパッド、バーチャルペン、または何らかの種類の演算通信装置であることができるが、それらに限定されるものではない。無線通信装置１００は、アンテナ１０２、トランシーバ１０４、プロセッサ１０６、表示装置１０８、ユーザーインターフェース１１０、オーディオ入出力１１２、メモリ回路１１４、タイミング回路１１６、およびユーザー取り外し可能モジュール１１８を含んでいる。無線通信装置１００の内部構成部品はさらに、外部インターフェース１２０および電源１２２を含むことができる。スピーカホーンモジュールやハンズフリーキットなどの付属および追加部品１２４は、外部インターフェース１２０に接続されて、装置１００に対して付加的な機能および能力を提供する。電池などの電源１２２はプロセッサ１０６によって制御され、内部構成部品に、それらが正しく機能できるように電力を供給する。
【０００７】
一般に、無線通信装置１００は以下に述べるように機能する。無線信号の受信時には、無線通信装置１００は、アンテナ１０２を介して、その信号を検出して、検出音声信号および検出データ信号の少なくともいずれかを生成する。アンテナ１０２に接続されたトランシーバ内の受信機は、検出信号を電気ベースバンド信号に変換し、その電気ベースバンド信号を復調して、無線信号によって送信された入力情報、例えば音声およびデータの少なくともいずれかを復元する。トランシーバ１０４内の受信機から入力情報を受信した後に、プロセッサ１０６は、その入力情報を、表示装置１０８およびオーディオ入出力１１２の少なくともいずれかへの出力のためにフォーマットする。同様に、無線信号の送信のために、プロセッサ１０６は、オーディオ入出力１１２の入力部を介して、または、ユーザーインターフェース１１０を介して入力され得る出力情報をフォーマットし、それを、搬送波の変調および変調信号への変換のためにトランシーバ１０４内の送信機へ送る。トランシーバ１０４内の送信機は、変調信号を、遠隔の送信機（図示せず）への送信のためにアンテナ１０２へ送る。
【０００８】
無線通信装置１００の入出力装置は、種々の視覚装置、音声装置、および運動装置の少なくともいずれかを含むことができる。出力装置としては、表示装置１０８と、オーディオ入出力１１２のスピーカ、警報、およびブザーなどのオーディオ出力があるが、それらに限定されない。表示装置１０８としては、液晶表示装置、発光ダイオード表示器、または他の表示装置が挙げられる。入力装置としては、ユーザーインターフェース１１０、およびオーディオ入出力１１２のオーディオ入力とあるが、それらに限定されない。ユーザー入力１１０は、キーボード、キーパッド、選択ボタン、タッチパッド、タッチスクリーン、容量性センサー、モーションセンサー、スイッチ、または他のユーザー入力を含むことができる。オーディオ入出力１１２のオーディオ入力は、マイクロフォンまたは他のオーディオ入力を含むことができる。
【０００９】
無線通信装置１００の内部構成部品は更に、データを記憶し、検索するためのメモリ回路１１４と、タイミング回路１１６を含んでいる。プロセッサ１０６は、メモリ回路１１４に情報を保存し、その情報を処理し、検索するための種々の動作を実行することができる。
【００１０】
電源が入ると、プロセッサ１０６は、無線通信装置１００がロックモードで動作しているかを判定する。無線通信装置１００がロックモードで動作しているとプロセッサ１０６が判定すると、ユーザー取り外し可能モジュール１１８に含まれている情報へのアクセスが拒絶され、プロセッサ１０６は、緊急コールを除き、いかなるコールも開始されないようにする。コールが緊急コールであるかを判定するために、プロセッサ１０６は、ユーザーインターフェース１１０を介して入力された電話番号と、そのメモリ１１４内に予め記憶されている電話番号、例えば米国における「９１１」およびヨーロッパにおける「１１２」とを比較する。電話番号と予め記憶されている電話番号が一致すると、プロセッサ１０６は緊急コールを開始し、トランシーバ１０４内の送信機に緊急コールを送信させる。緊急コールの送信後、プロセッサ１０６は、所定時間の間、トランシーバ１０６の受信機による受信時に着信コールを処理できるようになる。
【００１１】
プロセッサ１０６は、緊急コールの送信後に緊急コールがチャンネル割り当てを受けたか否かを監視する。緊急コールにチャンネルが割り当てられると、プロセッサ１０６は、ユーザー取り外し可能モジュール１１８に含まれている情報の少なくとも一部にアクセスし、アクセスした情報を使ってコールを完了する。緊急コールを完了した後に、プロセッサ１０６はユーザー取り外し可能モジュール１１８内のアクセスされた情報を使って、無線通信装置１００をローカル無線通信ネットワークに登録する。
【００１２】
無線通信装置１００が着信コールを受信できる所定時間に関するタイミング情報は、所定時間がどれだけの間にわたって有効であったかを示す期間情報と共に、メモリ回路１１４に記憶されている。タイミング回路１１６は、現在時刻を供給する時計回路と、所定時間の期間の初めなどの特定開始時刻からの経過時間を供給するタイマーとの少なくともいずれかを備え得る。種々の開始時刻、例えば、緊急コールの開始、チャンネル割り当て、および最初の緊急コールの終了を、所定時間の期間の始まりとして定義することができる。
【００１３】
図２は、第１実施態様による無線通信装置１００の動作の概略を示す典型的なフローチャートである。このプロセスはブロック２０２で開始し、ブロック２０４において、無線通信装置１００は、無線通信装置１００がロックモードで動作しているか否かを判定する。動作のロックモードにおいては、無線通信装置はユーザー取り外し可能モジュール１１８に含まれているユーザー情報にアクセスすることができなくなっており、限られた機能を有している。無線通信装置１００がロックモードで動作していないと判定された場合には、ブロック２０６において、すべてのコール関連プロセスが正常に行われ、ブロック２０８において処理は終了する。ブロック２０４において無線通信装置１００がロックモードで動作していると判定された場合には、なされるべきコールの電話番号を受信することによって示され得るコールの開始により、無線通信装置１００は、ブロック２１０において、そのコールが緊急コールか否かを判定する。コールが緊急コールか否かは、入力された電話番号を、無線通信装置１００のメモリ回路１１４に記憶されている緊急サービスセンターの所定の電話番号と比較することによって、判定することができる。ブロック２１０においてコールが緊急コールでないと判定された場合には、ブロック２０８においてプロセスは終了する。ブロック２１０においてコールが緊急コールであると判定された場合には、無線通信装置１００は、ブロック２１２においてそのコールを送信し、ブロック２１４において、ユーザー取り外し可能モジュール１１８に含まれているユーザー情報の一定のサブセットに無線通信装置１００がアクセスするのを許可する指示を受信する。
【００１４】
ユーザー取り外し可能モジュール１１８に含まれているユーザー情報のサブセットにアクセスするのを許可する指示を受信すると、無線通信装置１００は、ブロック２１６においてユーザー情報のサブセットにアクセスし、ブロック２１８において、アクセスしたユーザー情報のサブセットに基づく関連情報を送信する。関連情報を送信し、ユーザー取り外し可能モジュール１１８に含まれている一定のユーザー情報にアクセスできることによって、無線通信装置１００は、通常動作モードと同様のモードで動作を開始し、ブロック２２０において、所定時間の間、着信コールを受信できるようになる。次に、このプロセスはブロック２０８において終了する。
【００１５】
図３は、好ましい実施態様による図２のブロック２１４を更に説明する典型的なフローチャートである。ブロック２１２において緊急コールを送信した後に、無線通信装置１００は、ブロック３０２において、前記コールに対するチャンネル割り当てを監視し、緊急コールにチャンネルが割り当てられない場合、即ち、コールが不成功である場合には、ブロック３０４において所定回数だけ緊急コールを再試行することができる。緊急コールを送信するのに応じて、ブロック３０２において前記コールにチャンネルが割り当てられた場合には、ブロック３０６において、無線通信装置１００は、緊急コールに対するチャンネル割り当てを、ユーザー取り外し可能１１８に含まれているユーザー情報に無線通信装置１００がアクセスするのを許可する指示であると解釈する。無線通信装置１００は、次にブロック３０８において、ユーザー情報の少なくとも一つのサブセットのロックを解除する命令を実行する。プロセスは次にブロック２１６へと続く。あるいは、無線通信装置１００は、ブロック３０２においてコールに対するチャンネル割り当てを監視する代わりに、または、監視することに加えて、コールが確立されたか否かを判定するために、サービス接続メッセージおよびコールに対するコール肯定応答命令の少なくともいずれかを監視することができる。
【００１６】
図４は、好ましい実施態様による図２のブロック２２０を更に説明する典型的なフローチャートである。ブロック２１８において、アクセスされたユーザー情報のサブセットに基づく関連情報を送信することによって、無線通信装置１００は、ブロック４０２において、無線通信装置１００が現在置かれているローカル無線通信ネットワークに登録することができる。ローカルネットワークに登録することによって、無線通信装置１００は、ブロック４０４において、通常動作モードと同様の擬似通常動作モードで動作を開始することができ、所定時間の間、着信コールを受信することができる。ブロック４０６において、経過時間が、４５分などの所定時間、または特に設けられていなければ一定時間長を超えたか否かがチェックされる。経過時間が所定時間内にあれば、無線通信装置１００は、ブロック４０４において着信コールに応答し、擬似通常モードで動作することを続ける。所定時間の終了時に、無線通信装置１００はブロック２０８においてプロセスを終了する。
【００１７】
経過時間の監視は、無線通信装置１００のタイミング回路１１６の内部時計を用いるか、ネットワーク時間源などの外部時間源から時間情報を受信することによって行うことができる。所定時間は、ブロック３０２において成功チャンネル割り当てがなされた時刻から、ブロック４０２において無線通信装置１００が登録された時刻から、または緊急コールが終了した時刻から開始するように定義することができる。所定時間は、緊急サービス提供者への新規緊急コールを開始したとき、または緊急サービス提供者からコールバックを受信したときに、更新することができる。所定時間の開始時刻は、内部メモリ１１４かユーザー取り外し可能モジュール１１８に保存され得る。ユーザー取り外し可能モジュール１１８に開始時刻を保存することによって、所定時間内にユーザーが、そのユーザー取り外し可能モジュール１１８を異なるユーザー取り外し可能モジュール装備通信装置に設置することにより、その異なるユーザー取り外し可能モジュール装備通信装置を使用する
ことが可能となる。
【００１８】
ローカルネットワークに登録することによって、無線通信装置１００は、その場所を変更した場合、通信リンクを失うことなく一つのセルから別のセルへハンドオフされ得る。無線通信装置１００は、コールされた緊急サービスセンター以外のソースから着信コールを受信することも可能である。例えば、無線通信装置１００を使用する発呼者が地方警察署へ緊急コールを行い、その警察署が警察車両を急行させる。次に、警察車両の警察員は、コールバック元を添えるために警察署経由でコールバックを送る必要なく、通常コールと同じ方法で発呼者にコールバックすることができる。
【００１９】
本発明の好ましい実施態様を説明したが、本発明はそれに限定されないことは明らかである。当業者であれば、特許請求の範囲によって明らかにされるように、本発明の精神と範囲から逸脱することなく、数多くの修正、変更、変形、置換、および同等物に想到するであろう。
【図面の簡単な説明】
【００２０】
【図１】本発明の典型的なブロック図。
【図２】無線通信装置における本発明の好ましい実施態様の典型的なフローチャート。
【図３】前記好ましい実施態様による図２のブロックの一つを説明する典型的なフローチャート。
【図４】前記好ましい実施態様による図２のブロックの一つを説明する典型的なフローチャート。
【図１】
2006520122.tif 000003
【図２】
2006520122.tif 000004
【図３】
2006520122.tif 000005
【図４】
2006520122.tif 000006
【国際調査報告】
2006520122.tif 000007